(57)【要約】【課題】ドアや住宅の壁などの仕切り部材に形成されたペット通過用開口に取り付けられるペット用ドアを、該ドアとペット通過用開口との間に隙間を生じることなく閉扉状態とし、且つ、ペットの２方向への往来を可能にする。【解決手段】ドアパネル１２に設けられたペット通過用開口１４を開閉するように取付けられたペット用ツーウェイゲート１０であって、ペットの往来が可能なペット通過孔１６が形成された外側枠状パネル２０と、ペット通過孔１６を開閉するように外側枠状パネル２０に枢支された内側パネル３０とからなり、ペットが内側パネル３０を外側枠状パネル２０方向に押すように移動した時、これらが一体となって開扉され、又、逆方向にペットが移動するとき、外側枠状パネル２０はそのままで、内側パネル３０のみが開扉され、ペットの２方向への通過を許容し、閉扉状態では、ペット通過用開口１４とペット用ツーウェイゲート１０との隙間が無い。【選択図】図１
2012246686.tif 000002
【特許請求の範囲】
【請求項１】
人が出入りするためのドアや住宅の壁等の仕切り部材に形成されたペット通過用開口に取付けられ、ペットの２方向への往来を可能に、該ペット通過用開口を開閉するペット用ツーウェイゲートであって、
ペットの往来が可能なペット通過孔が形成された外側枠状パネルと、前記ペット通過孔を開閉するように前記外側枠状パネルに枢支された内側パネルとを有してなり、
前記外側枠状パネルは、その外周縁が、前記ペット通過用開口の内周縁よりも外側にあり、且つ、前記ペット通過孔の内周縁が、前記ペット通過用開口の内周縁よりも内側となる大きさ及び形状とされ、前記外周縁と内周縁との間の、前記仕切り部材に対向する枠状内側面を備え、
前記内側パネルは、前記ペット通過孔よりも大きく、これを被う大きさ及び形状の板状部材からなり、前記ペット通過孔を、前記ペット通過用開口側から開閉するように、前記外側枠状パネルにおける前記内側面に、内側揺動軸を中心として揺動自在に枢支されてなり、
前記内側揺動軸は、前記内側パネルの上部縁から側部縁に至る上側外周縁の一部に沿って配置され、
前記外側枠状パネルは、その上部縁から側部縁に至る上側外周縁の一部に沿って配置された外側揺動軸により、前記仕切り部材に揺動自在に枢支され、前記枠状内側面が、前記仕切り部材の表面に、接触、離間可能とされた、
ことを特徴とするペット用ツーウェイゲート。
【請求項２】
請求項１において、
前記仕切り部材に取付け固定可能に設けられ、前記外側揺動軸を介して前記外側枠状パネルを揺動自在に支持する枠形状の取付枠を有してなり、
前記取付枠は、前記ペット通過用開口と同一形状、大きさの開口を有すると共に外周縁が、前記外側枠状パネルよりも大きく、且つ、これと相似形とされたことを特徴とするペット用ツーウェイゲート。
【請求項３】
請求項２において、
前記取付枠には、前記内側パネルの前記外周縁及び内側揺動軸を囲むと共に、前記ペット通過用開口に嵌合可能な、取付け筒体が一体的に設けられていることを特徴とするペット用ツーウェイゲート。
【請求項４】
請求項１乃至３のいずれかにおいて、
前記内側パネルは、重力、ばね力及び磁力の少なくとも１つの力により、前記ペット通過孔を閉じる方向に付勢され、且つ、その付勢力は、ペットが、前記付勢力と反対方向に前記内側パネルを押すときに、該パネルがペットが通過可能な角度まで開くことを許容する範囲とされたことを特徴とするペット用ツーウェイゲート。
【請求項５】
請求項１乃至４のいずれかにおいて、
前記外側枠状パネルは、重力、ばね力及び磁力の少なくとも１つの力により、前記ペット通過用開口を閉じる方向に付勢され、且つ、その付勢力は、ペットが、前記付勢力と反対方向に前記外側枠状パネルを、前記内側パネルを介して押すときに、該パネルがペットが通過可能な角度まで開くことを許容する範囲とされたことを特徴とするペット用ツーウェイゲート。
【請求項６】
ドアパネルの下部の、ペットが通過可能な位置に形成されたペット通過用開口と、前記ドアパネルに取付けられ、前記ペット通過用開口を開閉する請求項１乃至５のいずれかに記載のペット用ツーウェイゲートと、を有することを特徴とするドア。
【発明の詳細な説明】
【技術分野】
【０００１】
本発明は、猫や犬などのペットが室内外を自由に行き来するためのペット用ツーウェイゲート及びこれを備えたドアに関する。
【背景技術】
【０００２】
従来、室内で飼育している猫や犬などのペットが、室内外へ自由に行き来する事を可能としたペット用ドアが広く知られている（例えば、特許文献１参照）。
【０００３】
このペット用ドアは、玄関ドア内に組み込んだパネル枠に板状のパネルを吊り下げ、このパネルを室内又は室外方向に開閉できる構造としたものである。このペット用ドアでは、ペットがパネルを室内又は室外方向へ押し開くことによって、室内外へ自由に行き来することができる。
【先行技術文献】
【特許文献】
【０００４】
【特許文献１】特開２００２−９７８６１号公報
【発明の概要】
【発明が解決しようとする課題】
【０００５】
しかしながら、上記のペット用ドアにおいては、ペットの行き来をスムーズにするため（パネルの開閉を容易にするため）、パネルの外周寸法をパネル枠の内周寸法よりもやや小さめに設定するのが通常である。従って、このようなペット用ドアを、玄関ドアや室内外を仕切る壁等に設置した場合には、室内の密閉性を確保するのが困難で、冷暖房効果が損なわれたり、室外の音、風、雨、虫等がパネル枠とパネルの隙間から室内に侵入し易くなってしまうといった問題点があった。
【０００６】
本発明は、このような問題点を解決するためになされたものであって、ペットの室内外の行き来が容易でありながら、同時に、室内の密閉性の向上を図ることができるペット用ツーウェイゲート及びこれを備えたドアを提供することを目的とする。
【課題を解決するための手段】
【０００７】
本発明は、人が出入りするためのドアや住宅の壁等の仕切り部材に形成されたペット通過用開口に取付けられ、ペットの２方向への往来を可能に、該ペット通過用開口を開閉するペット用ツーウェイゲートであって、ペットの往来が可能なペット通過孔が形成された外側枠状パネルと、前記ペット通過孔を開閉するように前記外側枠状パネルに枢支された内側パネルとを有してなり、前記外側枠状パネルは、その外周縁が、前記ペット通過用開口の内周縁よりも外側にあり、且つ、前記ペット通過孔の内周縁が、前記ペット通過用開口の内周縁よりも内側となる大きさ及び形状とされ、前記外周縁と内周縁との間の、前記仕切り部材に対向する枠状内側面を備え、前記内側パネルは、前記ペット通過孔よりも大きく、これを被う大きさ及び形状の板状部材からなり、前記ペット通過孔を、前記ペット通過用開口側から開閉するように、前記外側枠状パネルにおける前記内側面に、内側揺動軸を中心として揺動自在に枢支されてなり、前記内側揺動軸は、前記内側パネルの上部縁から側部縁に至る上側外周縁の一部に沿って配置され、前記外側枠状パネルは、その上部縁から側部縁に至る上側外周縁の一部に沿って配置された外側揺動軸により、前記仕切り部材に揺動自在に枢支され、前記枠状内側面が、前記仕切り部材の表面に、接触、離間可能とされたことによって、上記課題を解決したものである。
【０００８】
又、本発明は、前記仕切り部材に取付け固定可能に設けられ、前記外側揺動軸を介して前記外側枠状パネルを揺動自在に支持する枠形状の取付枠を有してなり、前記取付枠は、前記ペット通過用開口と同一形状、大きさの開口を有すると共に外周縁が、前記外側枠状パネルよりも大きく、且つ、これと相似形としてもよい。
【０００９】
更に、前記取付枠には、前記内側パネルの前記外周縁及び内側揺動軸を囲むと共に、前記ペット通過用開口に嵌合可能な、取付け筒体を一体的に設けるようにしてもよい。
【００１０】
又、前記内側パネルは、重力、ばね力及び磁力の少なくとも１つの力により、前記ペット通過孔を閉じる方向に付勢され、且つ、その付勢力は、ペットが、前記付勢力と反対方向に前記内側パネルを押すときに、該パネルがペットが通過可能な角度まで開くことを許容する範囲とすることができる。
【００１１】
更に、前記外側枠状パネルは、重力、ばね力及び磁力の少なくとも１つの力により、前記ペット通過用開口を閉じる方向に付勢され、且つ、その付勢力は、ペットが、前記付勢力と反対方向に前記外側枠状パネルを、前記内側パネルを介して押すときに、該パネルがペットが通過可能な角度まで開くことを許容する範囲としてもよい。
【００１２】
更に又、前記外側枠状パネルの前記枠状内側面と、前記ペット通過用開口部又は前記外側枠状パネルの前記枠状内側面と仕切り部材の表面との間に、両者が接触するときの衝撃を吸収するとともに両者間をシールする枠状シールゴムを、前記ペット通過用開口部の内周縁又は前記外側枠状パネルの前記開口部の内周縁に沿って設け、且つ、前記内側パネルと前記枠状内側面との間に、両者が接触するときの衝撃を吸収するとともに両者間をシールするドアパネルシールゴムを、前記ペット通過口の内周縁に沿って設けてもよい。
【００１３】
又、本発明は、ドアパネルの下部の、ペットが通過可能な位置に形成されたペット通過用開口と、前記ドアパネルに取付けられ、前記ペット通過用開口を開閉する上記のペット用ツーウェイゲートと、を有することを特徴とするドアにより、上記課題を解決することができる。
【発明の効果】
【００１４】
本発明によれば、人が出入りするためのドアや住宅の壁などの仕切り部材に形成されたペット通過用開口に取り付けられるペット用ドアを、閉扉状態では該ドアとペット通過用開口との間に隙間を生じることなく、且つ、２方向への開扉可能として、ペットの２方向への往来を可能にできるという効果を有する。
【図面の簡単な説明】
【００１５】
【図１】本発明の実施例１に係るペット用ツーウェイゲートをドアパネルに取り付けた状態を示す断面図
【図２】ペット用ツーウェイゲートを示す、図１において右側から見た側面図
【図３】同実施例１のペット用ツーウェイゲートにおいて、外側枠状パネルが開かれた状態を示す断面図
【図４】同実施例１において、内側パネルが開かれた状態を示す断面図
【図５】本発明の実施例２に係るペット用ツーウェイゲートをドアパネルに取り付けたドアを示す断面図
【発明を実施するための形態】
【００１６】
以下図面を参照して本発明の実施形態を詳細に説明する。
【実施例１】
【００１７】
図１、図２に示されるように、本発明の実施形態の例に係るペット用ツーウェイゲート１０は、人が出入りするためのドア１（全体図示省略）におけるドアパネル１２に形成されたペット通過用開口１４に取付けられ、ペットの２方向への往来を可能に、該ペット通過用開口１４を開閉するようにされている。
【００１８】
このペット用ツーウェイゲート１０は、ペットの往来が可能なペット通過孔１６が形成された外側枠状パネル２０と、ペット通過孔１６を開閉するように外側枠状パネル２０に枢支された内側パネル３０とを備えて構成されている。
【００１９】
外側枠状パネル２０は、その外周縁２０Ａが、ペット通過用開口１４の内周縁１４Ａよりも外側に有り、且つ、ペット通過孔１６の内周縁２０Ｂが、ペット通過用開口１４の内周縁１４Ａよりも内側となる大きさ及び形状とされると共に、外周縁２０Ａと内周縁２０Ｂとの間の、ドアパネル１２に対向する枠状内側面２１を備えている。
【００２０】
内側パネル３０は、ペット通過孔１６よりも大きく、これを覆う大きさ及び形状の板状部材からなり、ペット通過孔１６を、ペット通過用開口１４側から開閉するように、外側枠状パネル２０における枠状内側面２１に、例えば蝶番からなる内側揺動軸３２を中心として揺動自在に枢支されている。
【００２１】
又、外側枠状パネル２０は、例えば蝶番からなる外側揺動軸２２により、ドアパネル１２の外側面（図１において右側面）１２Ａに、これと一体の取付枠４０を介して外側揺動軸２２により揺動自在に枢支されていて、枠状内側面２１が、取付枠４０の外側面４０Ａに、接触、離間可能とされている。図１の符号４２は、取付枠４０をドアパネル１２に固定するためのねじを示す。
【００２２】
ここで、ペット通過用開口１４、外側枠状パネル２０、内側パネル３０及び取付枠４０の内周縁、外周縁は、共に、上下方向に長く、大きさの異なる相似の長方形であって、外側揺動軸２２は、外側枠状パネル２０の水平の上部縁２０Ｃに沿って水平に２箇所設けられている。同様に、内側揺動軸３２は、内側パネル３０の水平の上部縁３０Ａに沿って２箇所に設けられている。
【００２３】
なお、この実施例では、外側揺動軸２２を、予め、外側枠状パネル２０よりも大きい取付枠４０に固定しておいて、この取付枠４０をドアパネル１２に取り付けることによって、外側枠状パネル２０を間接的にドアパネル１２に取り付けるようにしている。
【００２４】
外側揺動軸２２の下側位置において、外側枠状パネル２０の枠状内側面２１と取付枠４０との間に外側引張りばね２４が装架され、外側枠状パネル２０を、枠状内側面２１が取付枠４０に圧接するように付勢している。
【００２５】
又、内側パネル３０の、図１において右側の、外側面３１Ａと外側枠状パネル２０の枠状内側面２１との間には、内側揺動軸３２の下方位置で内側引張りばね３４が装架され、内側パネル３０を、その外側面３１Ａが枠状内側面２１に圧接するように付勢している。
【００２６】
外側枠状パネル２０の枠状内側面２１には、取付枠４０の外側面４０Ａとの間に介在して、枠状内側面２１と取付枠４０との間のシール及び衝撃吸収のための枠状シールゴム２６が設けられている。この枠状シールゴム２６は、ペット通過用開口１４の内周縁１４Ａに沿って縦長の長方形状に設けられている。
【００２７】
又、外側枠状パネル２０の枠状内側面２１と内側パネル３０の外側面３１Ａとの間には、両者の間の衝撃を吸収すると共に両者間のシールをする内側シールゴム３６が、内側パネル３０に取り付けられている。この内側シールゴム３６は、内側パネル３０の外側面３１Ａの外周に沿った縦長の長方形状に設けられている。
【００２８】
ここで、前記外側引張りばね２４は、ペットが外側枠状パネル２０を図１において右側、即ちペット用ツーウェイゲート１０が開く方向に押したとき、該ペットが図１において左側から右側に通り抜けできる程度に外側枠状パネル２０の揺動を許容できるばね強度とされている。
【００２９】
又、内側引張りばね３４は、ペットが、内側パネル３０を、図１において右から左方向に移行した時、該ペットが通り抜けできる程度に内側パネル３０が開く事を許容できるばね強度とされている。
【００３０】
次に、図３及び図４を参照して、ペットがペット用ツーウェイゲート１０を通って移動する過程について説明する。
【００３１】
この実施例に係るペット用ツーウェイゲート１０は、図１に示されるような、外力が作用しない状態で、外側枠状パネル２０が、外側引張りばね２４により取付枠４０の外側面４０Ａに枠状シールゴム２６を介して圧接されていて、ペット通過用開口１４を閉じた状態に維持され、又、内側パネル３０が、内側引張りばね３４により内側シールゴム３６を介して外側枠状パネル２０の枠状内側面２１に圧接されているので、ペット通過孔１６をペット通過用開口１４側から閉じている。
【００３２】
即ち、ペット用ツーウェイゲート１０がペット通過用開口１４を閉じているのでペット通過用開口１４を通って音や空気の移動することが抑制される。
【００３３】
ペット（図示省略）が図３において太い矢印Ａで示される方向に移動すると、内側パネル３０は外側枠状パネル２０の枠状内側面２１に当接した状態となっているので、内側パネル３０が図３の右方向に押されれば、外側枠状パネル２０も一体となって、外側揺動軸２２を中心として、且つ、外側引張りばね２４の引張力に抗して右方向に開かれる。
【００３４】
これによって、ペットはペット用ツーウェイゲート１０を押し開いて、図において右方向に通過することができる。
【００３５】
次に、図４で示される太い矢印Ｂの方向にペットが進行すると、ペットはペット用ツーウェイゲート１０によって、図４において左方向に押されるが、外側枠状パネル２０が、図４において左方向に、取付枠４０に当接していて、これ以上左方向には揺動できないので、内側パネル３０のみがペットにより押される。該内側パネル３０は、内側揺動軸３２を中心として、且つ、内側引張りばね３４の引張力に抗して、図４に示されるように左方向に開かれる。
【００３６】
従って、ペットは、内側パネル３０を左方向に押しつつ、外側枠状パネル２０のペット通過孔１６を通って、且つ、ペット通過用開口１４を通って図４において右から左方向に通過する。
【００３７】
この実施例１において、外側枠状パネル２０は、外側揺動軸２２を介して予め取付枠４０に取り付けられた状態で、該取付枠４０をドアパネル１２に固定することによって、ペット用ツーウェイゲート１０全体がドアパネル１２に取り付けられることになっているが、本発明はこれに限定されるものでなく、取付枠４０を設けることなく、外側枠状パネル２０を、直接ドアパネル１２に、外側揺動軸２２を介して取り付けるようにしても良い。
【００３８】
次に、図５に示される本発明の実施例２に係るペット用ツーウェイゲート５０について説明する。
【００３９】
このペット用ツーウェイゲート５０は、ペット通過用開口１４に内周に嵌合される形状の取付け筒体５２が、取付枠４０と一体的に設けられたものである。
【００４０】
他の構成は、図１、図２に示されるペット用ツーウェイゲート１０の構成と同一であるので、同一部分に同一符号を付することにより説明を省略するものとする。
【００４１】
このペット用ツーウェイゲート５０の取付け筒体５２は、ペット通過用開口１４の長手方向（図５において左右方向且つ水平方向）に伸びる筒状壁からなり、その軸方向の長さはドアパネル１２と取付枠４０の厚さの和にほぼ等しくされている。
【００４２】
この実施例２においては、ペット用ツーウェイゲート５０を取り付ける際に、ドアパネル１２に開設されたペット通過用開口１４の内周縁１４Ａの角部や内周面が粗面であっても、これがペットに直接接触することを防止できるので、粗面によるペットの負傷などを抑制することができる。
【００４３】
上記実施例１及び２のペット用ツーウェイゲート１０、５０において、外側枠状パネル２０や内側パネル３０、あるいは取付け筒体５２の材質は、ペットが接触することが多いので、静電気を避けるためには、例えばアルミ薄板などから構成すると良い。
【００４４】
又、通過時におけるペットの負傷を避けるためには、外側枠状パネル２０におけるペット通過孔１６の内周縁２０Ｂの外側角部を、図１に示されるように面取り状態とするのが良い。
【００４５】
更に又、内側パネル３０は、ペット通過孔１６側の外周角部を、図１に示されるように面取り状態として、ペットが接触するとき、その負傷を避けるようにすると良い。
【００４６】
なお、上記実施例１、２において、ペット通過用開口１４、ペット通過孔１６、外側枠状パネル２０、内側パネル３０は、いずれも縦長の長方形状とされているが、本発明はこれに限定されるものではなく、ペット通過用開口１４を例えば円形、縦長長円形断面などとしても良い。
【００４７】
又、上記実施例１、２において、外側揺動軸２２及び内側揺動軸３２は、それぞれ、外側枠状パネル２０及び内側パネル３０の水平の上部縁２０Ｃ、３０Ａに沿って配置されているが、これは、図２において、外側枠状パネル２０の左右の側部縁及び内側パネル３０の左右の側部縁の左側あるいは右側に設けても良い。即ち、上部縁及び左右の側縁部を含む上側外周縁の一部に沿って配置されるものであればよい。ペット通過用開口１４の断面が上記のように円形又は長円形の場合も同様である。また、外側枠状パネル２０及び内側パネル３０の開閉時の揺動方向は必ずしも一致しなくてもよい。
【００４８】
又、上記実施例１、２において、外側引張りばね２４及び内側引張りばね３４によって、外側枠状パネル２０及び内側パネル３０を閉じ方向に付勢しているが、本発明はこれに限定されるものでなく、引張りばねに変えて、外側揺動軸２２あるいは内側揺動軸３２に取り付けたねじりコイルばねとしてもよく、又、パネルを付勢する板ばねであっても良い。
【００４９】
又、外側枠状パネル２０、内側パネル３０を、鉛直軸に対してそれぞれ異なる方向に傾斜して取り付け、これらに作用する重力の分力によって閉扉方向に付勢したり、更に、これら外側枠状パネル２０及び内側パネル３０を、磁石によって閉扉位置に付勢するようにしても良い。
【００５０】
上記実施例１、２において、ペット用ツーウェイゲート１０、５０は、ドアパネル１２に設けられたペット通過用開口１４を開閉するように設けられているが、本発明のペット用ツーウェイゲートは、ドアパネルを含む仕切り部材、例えば、住宅の壁に設けるようにしても良い。即ち、本発明のペット用ツーウェイゲートは、ドアや壁などの仕切り部材に設けられたペット通過用開口を開閉するように取り付けるものに一般的に適用されるものである。
【００５１】
又、本発明は、上記図１〜図５に示されるペット用ツーウェイゲートを予め備えた人が出入りするためのドアについても適用されるものである。
【符号の説明】
【００５２】
１…ドア
１０、５０…ペット用ツーウェイゲート
１２…ドアパネル
１４…ペット通過用開口
１４Ａ、２０Ｂ…内周縁
１６…ペット通過孔
２０…外側枠状パネル
２０Ａ…外周縁
２０Ｃ、３０Ａ…上部縁
２１…枠状内側面
２２…外側揺動軸
２４…外側引張りばね
２６…枠状シールゴム
３０…内側パネル
３１Ａ、４０Ａ…外側面
３２…内側揺動軸
３４…内側引張りばね
３６…内側シールゴム
４０…取付枠
４２…ねじ
５２…取付け筒体
【図１】
2012246686.tif 000003
【図２】
2012246686.tif 000004
【図３】
2012246686.tif 000005
【図４】
2012246686.tif 000006
【図５】
2012246686.tif 000007